(57)【要約】  そこを貫通する中空通路を画定する細長い本体を有するシステムであって、細長い本体は、細長い本体の長手方向の上半分の周りに配置された第１の開口部と、および、細長い本体の長手方向側部領域の周りに配置された少なくとも２つの第２の開口部を含み、少なくとも２つの第２の開口部のそれぞれは８０〜７００ｃｍ２の間の面積を有する、システム。【選択図】図２Ｂ
2020532320.tif 000002
【特許請求の範囲】
【請求項１】
そこを貫通する中空通路を画定する細長い本体を備えるシステムであって、前記細長い本体は、（ｉ）１００〜８００ｃｍの間の長さ、および（ｉｉ）断面周囲内の最大内接円が５０〜３００ｃｍの間の直径を有するように寸法決めされた前記断面周囲を有し、前記細長い本体は、
前記細長い本体の長手方向の上半分の周りに配置され、３００〜２００００ｍ２の間の面積を有する第１の開口部と、
少なくとも２つの第２の開口部であって、
（ａ）前記内接円の大体１時の位置から大体５時の位置まで時計回りに延びる前記細長い本体の第１の長手方向側部領域、および
（ｂ）前記内接円の大体７時の位置から１１時の位置まで時計回りに延びる前記細長い本体の第２の長手方向側部領域、
の少なくとも一方の周りに配置され、
２０〜７００ｃｍ２の間の面積をそれぞれ有する少なくとも２つの第２の開口部と
を含むシステム。
【請求項２】
前記細長い本体が、前記細長い本体の前記長手方向の上半分の周りに配置された２つ以上の前記第１の開口部を備え、前記２つ以上の第１の開口部は、それらの中心間で少なくとも３００ｃｍ離間される、請求項１に記載のシステム。
【請求項３】
前記第１の開口部に結合するようにおよび前記細長い本体の上面から垂直に延びるように構成された中空導管を備える植え付け用延長部をさらに備え、前記植え付け用延長部は５〜６０ｃｍの間の長さを有する、請求項１または２に記載のシステム。
【請求項４】
前記細長い本体が、前記第１および第２の長手方向側部領域の少なくとも一方の周りに配置された３〜１０個の前記第２の開口部を備える、請求項１〜３のいずれか一項に記載のシステム。
【請求項５】
前記細長い本体が、前記内接円の大体約５時３０分の位置から大体６時３０分の位置まで時計回りに延びる前記細長い本体の長手方向底部領域の周りに配置された少なくとも１つの第３の開口部をさらに備え、前記少なくとも１つの第３の開口部は８０〜５００ｃｍ２の間の面積を有する、請求項１〜４のいずれか一項に記載のシステム。
【請求項６】
前記細長い本体が、前記内接円の大体１１時３０分の位置から大体約１２時３０分の位置まで時計回りに延びる前記細長い本体の長手方向上部領域の周りに配置された少なくとも１つの第４の開口部をさらに備え、前記少なくとも１つの第４の開口部は１〜１２ｃｍ２の間の面積を有する、請求項１〜５のいずれか一項に記載のシステム。
【請求項７】
２つ以上の前記細長い本体をさらに備え、前記細長い本体のそれぞれは、１つまたは複数の他の前記細長い本体に結合するように構成される、請求項１〜６のいずれか一項に記載のシステム。
【請求項８】
前記結合が、エンドツーエンド結合、エンドツーサイド結合、およびサイドツーサイド結合からなる群から選択される、請求項７に記載のシステム。
【請求項９】
前記結合が、１８０度、直角、鈍角、および鋭角からなる群から選択される角度を有する、請求項７に記載のシステム。
【請求項１０】
前記２つ以上の細長い本体が、直線、曲線、円、長方形、Ｔ接合、Ｌ接合、およびＨパターンの１つまたは複数を含むレイアウトを形成するように相互接続される、請求項７に記載のシステム。
【請求項１１】
前記細長い本体が、円形、楕円形、八角形、馬蹄形、および長方形からなる群から選択される断面プロファイルを有する、請求項１〜１０のいずれか一項に記載のシステム。
【請求項１２】
前記細長い本体が湾曲している、請求項１〜１１のいずれか一項に記載のシステム。
【請求項１３】
前記細長い本体が１つまたは複数の地点で曲げられ、前記曲げのそれぞれは、１８０度、直角、鈍角、および鋭角からなる群から選択される角度を有する、請求項１〜１２のいずれか一項に記載のシステム。
【請求項１４】
前記細長い本体が、ポリマー、ポリエチレン、ポリプロピレン、ポリオレフィン、鋳鉄、黒鉄、鋼、およびコンクリートからなる群から選択される１種または複数種の材料から作製される、請求項１〜１３のいずれか一項に記載のシステム。
【請求項１５】
前記細長い本体が少なくとも１０トンの荷重を支持することができる、請求項１〜１４のいずれか一項に記載のシステム。
【請求項１６】
前記細長い本体が波形構造を有する、請求項１〜１５のいずれか一項に記載のシステム。
【請求項１７】
前記波形構造が内壁および外壁を備え、前記外壁は複数の連続する離間された環状リブを画定し、前記環状リブの各対の間には環状の谷を画定する部分があり、前記環状リブのそれぞれは、その内部に形成された対応する環状中空チャネルを画定する、請求項１６に記載のシステム。
【請求項１８】
前記環状リブが前記細長い本体の周りに螺旋状に形成される、請求項１６に記載のシステム。
【請求項１９】
前記細長い本体が、前記細長い本体の前記内壁の周りに軸方向および円周方向に延びる複数の穿孔をさらに備え、前記複数の穿孔のそれぞれは１〜５ｃｍ２の間の面積を有する、請求項１６〜１８のいずれか一項に記載のシステム。
【請求項２０】
前記穿孔のそれぞれが、前記細長い本体の内部と前記環状中空チャネルの１つとの間の空気連通を可能にするために、前記細長い本体の前記内壁を貫通する、請求項１６〜１９のいずれか一項に記載のシステム。
【請求項２１】
前記第４の開口部のそれぞれが、前記複数の環状リブのうちの１つの頂部の周りに配置され、前記対応する環状中空チャネルと周囲大気との間の空気連通を提供する、請求項１６〜２０のいずれか一項に記載のシステム。
【請求項２２】
前記第４の開口部のそれぞれに接続された少なくとも１つの通気シャフトをさらに備え、前記通気シャフトは５〜６０ｃｍの間の長さを有する、請求項１６〜２１のいずれか一項に記載のシステム。
【請求項２３】
前記第１の開口部の前記面積と前記第２の開口部の前記面積との間の比が、１．５：１〜４：１の間である、請求項１〜２２のいずれか一項に記載のシステム。
【請求項２４】
前記細長い本体の全ての開口部および穿孔の総面積が、前記細長い本体の総表面積の６％〜２５％の間に等しい、請求項１〜２３のいずれか一項に記載のシステム。
【請求項２５】
前記細長い本体を地面アンカーに接続するための相互接続手段をさらに備え、前記相互接続手段は、通し穴を含む１つまたは複数のブラケットを含む、請求項１〜２４のいずれか一項に記載のシステム。
【請求項２６】
前記細長い本体の外壁の周りに配置され、そこから外側に垂直に延びる少なくとも１つの安定化フィンをさらに備える、請求項１〜２５のいずれか一項に記載のシステム。
【請求項２７】
前記細長い本体内に長手方向に配置され、その長さに沿って複数の穿孔を有する導管をさらに備える、請求項１〜２６のいずれか一項に記載のシステム。
【請求項２８】
前記導管が灌漑要素を含む、請求項２７に記載のシステム。
【請求項２９】
前記灌漑要素が滴下式灌漑要素である、請求項２７に記載のシステム。
【請求項３０】
前記導管が、その長さに沿って配置されたジオテキスタイルファブリックの層をさらに含む、請求項２７〜２９のいずれか一項に記載のシステム。
【請求項３１】
樹木の成長を管理する方法であって、
そこを貫通する中空通路を画定する細長い本体を含むシステムを提供するステップであって、前記細長い本体は、（ｉ）１００〜８００ｃｍの間の長さ、および（ｉｉ）断面周囲内の最大内接円が５０〜３００ｃｍの間の直径を有するように寸法決めされた断面周囲を有し、前記細長い本体は、
前記細長い本体の長手方向の上半分の周りに配置され、かつ３００〜２００００ｍ２の間の面積を有する第１の開口部と、
少なくとも１つの第２の開口部であって、
（ｉ）前記内接円の大体１時の位置から大体５時の位置まで時計回りに延びる前記細長い本体の第１の長手方向側部領域、および
（ｉｉ）前記内接円の大体７時の位置から１１時の位置まで時計回りに延びる前記細長い本体の第２の長手方向側部領域
の少なくとも一方の周りに配置され、
２０〜７００ｃｍ２の間の面積をそれぞれ有する少なくとも２つの第２の開口部と
を含む、提供するステップと、
前記第１の開口部が実質的に上に向けられるように、前記細長い本体を表面下に配備するステップと、
前記第１の開口部を介して植物を植え付けるステップと
を含む方法。
【請求項３２】
前記細長い本体が、前記細長い本体の前記長手方向の上半分の周りに配置された２つ以上の前記第１の開口部を備え、前記２つ以上の第１の開口部は、それらの中心間で少なくとも３００ｃｍ離間される、請求項３１に記載の方法。
【請求項３３】
前記第１の開口部に結合するようにおよび前記細長い本体の上面から垂直に延びるように構成された中空導管を備える植え付け用延長部をさらに備え、前記植え付け用延長部は５〜６０ｃｍの間の長さを有する、請求項３１または３２に記載の方法。
【請求項３４】
前記配備することが、（ｉ）前記細長い本体を（ａ）前記第１の開口部が実質的に上に向けられるように、および（ｂ）前記植え付け用延長部の上端が実質的に表面レベルにあるように配備することを含み、および（ｉｉ）前記植え付けることが、前記植え付け用延長部を介して植物を植え付けることを含む、請求項３３に記載の方法。
【請求項３５】
前記細長い本体が、前記第１および第２の長手方向側部領域の少なくとも一方の周りに配置された３〜１０個の前記第２の開口部を備える、請求項３１〜３４のいずれか一項に記載の方法。
【請求項３６】
前記細長い本体が、前記内接円の大体約５時３０分の位置から大体６時３０分の位置まで時計回りに延びる前記細長い本体の長手方向底部領域の周りに配置された少なくとも１つの第３の開口部をさらに備え、前記少なくとも１つの第３の開口部は８０〜５００ｃｍ２の間の面積を有する、請求項３１〜３５のいずれか一項に記載の方法。
【請求項３７】
前記細長い本体が、前記内接円の大体１１時３０分の位置から大体約１２時３０分の位置まで時計回りに延びる前記細長い本体の長手方向上部領域の周りに配置された少なくとも１つの第４の開口部をさらに備え、前記少なくとも１つの第４の開口部は１〜１２ｃｍ２の間の面積を有する、請求項３１〜３６のいずれか一項に記載の方法。
【請求項３８】
前記システムが、２つ以上の前記細長い本体をさらに備え、前記細長い本体のそれぞれは、１つまたは複数の他の前記細長い本体に結合するように構成される、請求項３１〜３７のいずれか一項に記載の方法。
【請求項３９】
前記結合が、エンドツーエンド結合、エンドツーサイド結合、およびサイドツーサイド結合からなる群から選択される、請求項３８に記載の方法。
【請求項４０】
前記結合が、１８０度、直角、鈍角、および鋭角からなる群から選択される角度を有する、請求項３８に記載の方法。
【請求項４１】
前記配備することが、（ｉ）直線、曲線、円、長方形、Ｔ接合、Ｌ接合、およびＨパターンの１つまたは複数を含むレイアウトを形成するように前記複数の前記細長い本体の２つ以上を相互接続すること、および（ｉｉ）前記細長い本体のそれぞれの前記第１の開口部のそれぞれが実質的に上に向けられるように前記レイアウトを表面下に配備することを含む、請求項３８に記載の方法。
【請求項４２】
前記細長い本体が、円形、楕円形、八角形、馬蹄形、および長方形からなる群から選択される断面プロファイルを有する、請求項３１〜４１のいずれか一項に記載の方法。
【請求項４３】
前記細長い本体が湾曲している、請求項３１〜４２のいずれか一項に記載の方法。
【請求項４４】
前記細長い本体が１つまたは複数の地点で曲げられ、前記曲げのそれぞれは、１８０度、直角、鈍角、および鋭角からなる群から選択される角度を有する、請求項３１〜４３のいずれか一項に記載の方法。
【請求項４５】
前記細長い本体が、ポリマー、ポリエチレン、ポリプロピレン、ポリオレフィン、鋳鉄、黒鉄、鋼、およびコンクリートからなる群から選択される１種または複数種の材料から作製される、請求項３１〜４４のいずれか一項に記載の方法。
【請求項４６】
前記細長い本体が少なくとも１０トンの荷重を支持することができる、請求項３１〜４５のいずれか一項に記載の方法。
【請求項４７】
前記細長い本体が波形構造を有する、請求項３１〜４６のいずれか一項に記載の方法。
【請求項４８】
前記波形構造が内壁および外壁を備え、前記外壁は複数の連続する離間された環状リブを画定し、前記環状リブの各対の間には環状の谷を画定する部分があり、前記環状リブのそれぞれは、その内部に形成された対応する環状中空チャネルを画定する、請求項４７に記載の方法。
【請求項４９】
前記環状リブが前記細長い本体の周りに螺旋状に形成される、請求項４８に記載の方法。
【請求項５０】
前記細長い本体が、前記細長い本体の前記内壁の周りに軸方向および円周方向に延びる複数の穿孔をさらに備え、前記複数の穿孔のそれぞれは１〜５ｃｍ２の間の面積を有する、請求項４７〜４９のいずれか一項に記載の方法。
【請求項５１】
前記穿孔のそれぞれが、前記細長い本体の内部と前記環状中空チャネルの１つとの間の空気連通を可能にするために、前記細長い本体の前記内壁を貫通する、請求項４７〜５０のいずれか一項に記載の方法。
【請求項５２】
前記第４の開口部のそれぞれが、前記複数の環状リブのうちの１つの頂部の周りに配置され、前記対応する環状中空チャネルと周囲大気との間の空気連通を提供する、請求項４７〜５１のいずれか一項に記載の方法。
【請求項５３】
前記システムが、前記第４の開口部のそれぞれに接続された少なくとも１つの通気シャフトをさらに備え、前記配備することが、前記少なくとも１つの通気シャフトが少なくとも表面レベルにあるように前記細長い本体を配備することを含む、請求項４７〜５２のいずれか一項に記載の方法。
【請求項５４】
前記第１の開口部の前記面積と前記第２の開口部の前記面積との間の比が、１．５：１〜４：１の間である、請求項３１〜５３のいずれか一項に記載の方法。
【請求項５５】
前記細長い本体の全ての開口部および穿孔の総面積が、前記細長い本体の総表面積の６％〜２５％の間に等しい、請求項３１〜５４のいずれか一項に記載の方法。
【請求項５６】
前記細長い本体が、前記細長い本体を地面アンカーに接続するための相互接続手段をさらに備え、前記相互接続手段は、通し穴を含む１つまたは複数のブラケットを含む、請求項３１〜５５のいずれか一項に記載の方法。
【請求項５７】
前記配備することが、（ｉ）前記地面アンカーを設置すること、および（ｉｉ）前記地面アンカーを前記相互接続手段に接続することをさらに含む、請求項５６に記載の方法。
【請求項５８】
前記細長い本体が、前記細長い本体の外壁の周りに配置されかつそこから外側に垂直に延びる少なくとも１つの安定化フィンをさらに備える、請求項３１〜５７のいずれか一項に記載の方法。
【請求項５９】
前記システムが、前記細長い本体内に長手方向に配置されかつその長さに沿って複数の穿孔を有する導管をさらに備える、請求項３１〜５８のいずれか一項に記載の方法。
【請求項６０】
前記導管が灌漑要素を含む、請求項５９に記載の方法。
【請求項６１】
前記灌漑要素が滴下式灌漑要素である、請求項６０に記載の方法。
【請求項６２】
前記導管が、その長さに沿って配置されたジオテキスタイルファブリックの層をさらに含む、請求項５９〜６１のいずれか一項に記載の方法。
【発明の詳細な説明】
【技術分野】
【０００１】
本発明は、樹木の成長の管理の分野に関する。
【０００２】
本出願は、２０１７年９月４日に出願された米国仮特許出願第６２／５５３，９４８号からの優先権の利益を主張する。上記文書の内容は、本明細書に完全に記載されているかのように参照により完全な形で組み込まれる。
【背景技術】
【０００３】
樹木は、都市環境に著しい経済的、社会的、環境的利益をもたらす。他の利益の中でも、樹木は街並みを美しくし、歩行者に日陰となる葉を提供し、大気汚染を遮断して吸収し、都市のヒートアイランド効果の抑制に一役買い、野生生物の生息地を提供する。しかしながら、密集した都市環境で樹木を上手く成長させるには、いくつかの課題がある。樹木が成熟した植物に成長するためには、十分な高品質の土壌、十分な水分、および効率的な土壌排水が提供されなければならない。街路樹の衰退の主な原因には、適切な土壌体積の不足、および下層土壌中の不十分な灌漑および通気がある。
【０００４】
関連技術の前述の例およびそれに関連する制限は、例示的であり、排他的ではないことを意図している。関連技術の他の制限は、本明細書を読み、図を検討することにより、当業者に明らかになるであろう。
【発明の概要】
【０００５】
以下の実施形態およびその態様は、範囲を限定することなく、例示的でありかつ説明に役立つことを意図したシステム、ツール、および方法と併せて記載および図示される。
【０００６】
一実施形態によれば、そこを貫通する中空通路を画定する細長い本体を備えるシステムが提供され、前記細長い本体は、（ｉ）１００〜８００ｃｍの間の長さ、および（ｉｉ）断面周囲内の最大内接円が５０〜３００ｃｍの間の直径を有するように寸法決めされた前記断面周囲を有し、前記細長い本体は、前記細長い本体の長手方向の上半分の周りに配置されかつ３００〜２００００ｍ２の間の面積を有する第１の開口部と、（ａ）前記内接円の大体１時の位置から大体５時の位置まで時計回りに延びる前記細長い本体の第１の長手方向側部領域、および（ｂ）前記内接円の大体７時の位置から１１時の位置まで時計回りに延びる前記細長い本体の第２の長手方向側部領域の少なくとも一方の周りに配置された少なくとも２つの第２の開口部であって、２０〜７００ｃｍ２の間の面積をそれぞれ有する少なくとも２つの第２の開口部とを含む。
【０００７】
一実施形態によれば、樹木の成長を管理する方法も提供され、前記方法は、そこを貫通する中空通路を画定する細長い本体を含むシステムを提供するステップであって、前記細長い本体は、（ｉ）１００〜８００ｃｍの間の長さ、および（ｉｉ）断面周囲内の最大内接円が５０〜３００ｃｍの間の直径を有するように寸法決めされた前記断面周囲を有し、前記細長い本体は、前記細長い本体の長手方向の上半分の周りに配置されかつ３００〜２００００ｍ２の間の面積を有する第１の開口部と、（ａ）前記内接円の大体１時の位置から大体５時の位置まで時計回りに延びる前記細長い本体の第１の長手方向側部領域、および（ｂ）前記内接円の大体７時の位置から１１時の位置まで時計回りに延びる前記細長い本体の第２の長手方向側部領域の少なくとも一方の周りに配置された少なくとも２つの第２の開口部であって、２０〜７００ｃｍ２の間の面積をそれぞれ有する少なくとも２つの第２の開口部とを含む、提供するステップと、前記第１の開口部が実質的に上に向けられるように、前記細長い本体を表面下に配備するステップと、前記第１の開口部を介して植物を植え付けるステップとを含む。
【０００８】
いくつかの実施形態において、前記細長い本体は、前記細長い本体の前記長手方向の上半分の周りに配置された２つ以上の前記第１の開口部を備え、前記２つ以上の第１の開口部は、それらの中心間で少なくとも３００ｃｍ離間される。
【０００９】
いくつかの実施形態において、前記システムは、前記第１の開口部に結合するようにおよび前記細長い本体の上面から垂直に延びるように構成された中空導管を備える植え付け用延長部をさらに備え、前記植え付け用延長部は５〜６０ｃｍの間の長さを有する。いくつかの実施形態では、前記方法は、（ｉ）前記細長い本体を（ａ）前記第１の開口部が実質的に上に向けられるように、および（ｂ）前記植え付け用延長部の上端が実質的に表面レベルにあるように配備することをさらに含み、および（ｉｉ）前記植え付けることは前記植え付け用延長部を介して植物を植え付けることを含む。
【００１０】
いくつかの実施形態では、前記細長い本体は、前記第１および第２の長手方向側部領域の少なくとも一方の周りに配置された３〜１０個の前記第２の開口部を備える。
【００１１】
いくつかの実施形態では、前記細長い本体は、前記内接円の大体約５時３０分の位置から大体６時３０分の位置まで時計回りに延びる前記細長い本体の長手方向の底部領域の周りに配置された少なくとも１つの第３の開口部をさらに備え、前記少なくとも１つの第３の開口部は８０〜５００ｃｍ２の間の面積を有する。
【００１２】
いくつかの実施形態では、前記細長い本体は、前記内接円の大体１１時３０分の位置から大体約１２時３０分の位置まで時計回りに延びる前記細長い本体の長手方向の上部領域の周りに配置された少なくとも１つの第４の開口部をさらに備え、前記少なくとも１つの第４の開口部は１〜１２ｃｍ２の間の面積を有する。
【００１３】
いくつかの実施形態では、前記システムは、２つ以上の前記細長い本体をさらに備え、前記細長い本体のそれぞれは、１つまたは複数の他の前記細長い本体に結合するように構成される。
【００１４】
いくつかの実施形態では、前記結合は、エンドツーエンド結合、エンドツーサイド結合、およびサイドツーサイド結合からなる群から選択される。
【００１５】
いくつかの実施形態では、前記結合は、１８０度、直角、鈍角、および鋭角からなる群から選択される角度を有する。
【００１６】
いくつかの実施形態では、前記２つ以上の細長い本体は、直線、曲線、円、長方形、Ｔ接合、Ｌ接合、およびＨパターンの１つまたは複数を含むレイアウトを形成するように相互接続される。いくつかの実施形態では、前記方法は、（ｉ）直線、曲線、円、長方形、Ｔ接合、Ｌ接合およびＨパターンの１つまたは複数を含むレイアウトを形成するように前記複数の前記細長い本体の２つ以上を相互接続すること、および（ｉｉ）前記細長い本体のそれぞれの前記第１の開口部のそれぞれが実質的に上に向けられるように、前記レイアウトを表面下に配備することをさらに含む。
【００１７】
いくつかの実施形態では、前記細長い本体は、円形、楕円形、八角形、馬蹄形、および長方形からなる群から選択される断面プロファイルを有する。
【００１８】
いくつかの実施形態では、前記細長い本体は湾曲している。いくつかの実施形態では、前記細長い本体は、１つまたは複数の地点で曲げられ、前記曲げのそれぞれは、１８０度、直角、鈍角、および鋭角からなる群から選択される角度を有する。
【００１９】
いくつかの実施形態では、前記細長い本体は、ポリマー、ポリエチレン、ポリプロピレン、ポリオレフィン、鋳鉄、黒鉄（ｂｌａｃｋ  ｉｒｏｎ）、鋼、およびコンクリートからなる群から選択される１種または複数種の材料から作製される。
【００２０】
いくつかの実施形態では、前記細長い本体は、少なくとも１０トンの荷重を支持することができる。
【００２１】
いくつかの実施形態では、前記細長い本体は波形構造を有する。いくつかの実施形態では、前記波形構造は内壁および外壁を備え、前記外壁は複数の連続する離間された環状リブを画定し、前記環状リブの各対の間には環状の谷を画定する部分があり、前記環状リブのそれぞれは、その内部に形成された対応する環状中空チャネルを画定する。
【００２２】
いくつかの実施形態では、前記環状リブは、細長い本体の周りに螺旋状に形成される。
【００２３】
いくつかの実施形態では、前記細長い本体は、前記細長い本体の内壁の周りに軸方向および円周方向に延びる複数の穿孔をさらに備え、前記複数の穿孔のそれぞれは、１〜５ｃｍ２の間の面積を有する。
【００２４】
いくつかの実施形態では、前記穿孔のそれぞれは、前記細長い本体の内部と前記環状中空チャネルの１つとの間の空気連通を可能にするために、前記細長い本体の前記内壁を貫通する。
【００２５】
いくつかの実施形態では、前記第４の開口部のそれぞれは、前記複数の環状リブのうちの１つの頂部の周りに配置され、前記対応する環状中空チャネルと周囲大気との間の空気連通を提供する。
【００２６】
いくつかの実施形態では、前記システムは、前記第４の開口部のそれぞれに接続された少なくとも１つの通気シャフトをさらに備え、前記通気シャフトは５〜６０ｃｍの間の長さを有する。いくつかの実施形態では、前記方法は、前記少なくとも１つの通気シャフトが少なくとも表面レベルにあるように前記細長い本体を配備することをさらに含む。
【００２７】
いくつかの実施形態では、前記第１の開口部の前記面積と前記第２の開口部の前記面積との間の比は、１．５：１〜４：１の間である。
【００２８】
いくつかの実施形態では、前記細長い本体の全ての開口部および穿孔の総面積は、前記細長い本体の総表面積の６％〜２５％の間に等しい。
【００２９】
いくつかの実施形態では、前記システムは、前記細長い本体を地面アンカーに接続するための相互接続手段をさらに備え、前記相互接続手段は、通し穴を含む１つまたは複数のブラケットを含む。いくつかの実施形態では、前記方法は、（ｉ）前記地面アンカーを設置すること、および（ｉｉ）前記地面アンカーを前記相互接続手段に接続することをさらに含む。
【００３０】
いくつかの実施形態では、前記システムは、前記細長い本体の外壁の周りに配置され、そこから外側に垂直に延びる少なくとも１つの安定化フィンをさらに備える。
【００３１】
いくつかの実施形態では、前記システムは、前記細長い本体内に長手方向に配置され、その長さに沿って複数の穿孔を有する導管をさらに備える。いくつかの実施形態では、前記導管は灌漑要素を含む。いくつかの実施形態では、前記灌漑要素は滴下式灌漑要素である。いくつかの実施形態では、前記導管は、その長さに沿って配置されたジオテキスタイルファブリックの層をさらに含む。
【００３２】
上記の例示的な態様および実施形態に加えて、さらなる態様および実施形態は、図面を参照し、以下の詳細な記載を検討することにより明らかになるであろう。
【００３３】
例示的な実施形態が、参照される図に示されている。図に示されている構成要素および特徴部の寸法は、表示の利便性と明確さのために大まかに選択されており、必ずしも原寸に比例して示されているわけではない。各図を以下に列記する。
【図面の簡単な説明】
【００３４】
【図１】一般的なオープンピット植え付けシステムの図である。
【図２Ａ】一実施形態による、植物成長管理のための例示的なシステムの部分的に断面の斜視立面図である。
【図２Ｂ】図２Ａのシステムの断面図である。
【図３Ａ】一実施形態による、植物成長管理のためのシステムの一セクションの斜視図である。
【図３Ｂ】図３Ａのセクションの長手方向断面図である。
【図３Ｃ】図３Ａのセクションの概略断面正面図である。
【図３Ｄ】一実施形態による、植物成長管理のためのシステムの一セクションのための植え付け用延長部を示す。
【図４Ａ】一実施形態による、植物成長管理システムの第２の例示的なセクションの斜視図である。
【図４Ｂ】図４Ａのセクションの長手方向断面図である。
【図５】一実施形態による、植物成長管理のためのシステムの相互接続されたセクションを示す。
【図６Ａ】植物成長管理のためのシステムの一セクションの追加の実施形態を示す。
【図６Ｂ】植物成長管理のためのシステムの一セクションの追加の実施形態を示す。
【図７】一実施形態による、植物成長管理のためのシステムの一セクションの灌漑要素を示す。
【発明を実施するための形態】
【００３５】
本明細書に開示されるのは、都市環境および／または同様の環境における植物成長を管理するためのシステムおよび方法である。いくつかの実施形態では、本発明は、構築された人工的構造物、インフラストラクチャ、および／または縁石、歩道、舗道および／または道路などの同様の耐荷重面の近くの樹木または他の大きな植物および植生に適した成長環境を提供する。
【００３６】
多くの都市景観の設計は、多くの場合、例えば街路、舗道および歩道に沿って、これらの特徴物を使用する歩行者が樹木の恩恵を享受できるように、樹木を植えることを必要とする。例えば、図１を参照すると、一般的な都市植樹慣行は、縁石１０２および道路１０４などの周囲の耐荷重人工的構造物を支持するための圧密土を含む掘り落とし穴または空洞であり得る一連のオープンピット１１０を提供する。しかしながら、樹木１２０などの樹木および同様の大きな植物は、栄養素と水を求めて広範な根系を張り巡らせることに依存している。多くの場合、栄養不足でありかつ汚染されている可能性のある圧密土は、根系の成長および樹木の成長を阻害する。さらに、樹木の大きさ（樹冠の直径と幹の直径の両方）と健全な成長に必要な土壌体積との間には直接的な関係がある。
【００３７】
その結果、都市環境内で限られた体積の圧密土内に植えられた樹木は、その全潜在能力まで成長できない可能性があり、時期尚早に枯れてしまうことさえある。さらに、永続的で堅固な配置済みの人工的構造物により、樹木成長空間の容量を維持および拡張することは困難である。場合によっては、成長条件が不十分なために周囲の人工的構造物が破損する可能性もある。例えば、樹木の根は通常、土壌内の比較的浅い領域を占有するが、樹木の滴下線をはるかに越えて外側に広がる場合がある。木が成長するにつれて、適切な成長空間が不足すると、根が人工的構造物の下に伸びて、例えば歩道や道路の座屈や隆起を引き起こす可能性がある。また、根は、人工的構造物の下に延びるユーティリティ配管と干渉する可能性がある。表面下
【００３８】
雨水流出の制御は、土壌が圧密化された密集した都市部における別の問題である。雨水を上手く制御することで、雨水を地面に廃棄しながら効率的に排水することができる。密度が高くなると、舗装または建物のために、専ら雨水管理にあてがうことができる領域が減少する。
【００３９】
したがって、本発明の潜在的な利点は、適切な土壌成長条件、植物の根の管理、メンテナンスのための簡単なアクセス、および効果的な排水を提供しながら、構築された人工的構造物の近くで樹木および／または他の比較的大きな植物を成長させるための費用効果が高くメンテナンスの少ない解決策を提供することである。
【００４０】
いくつかの実施形態では、本発明は、１つまたは複数の植物のための表面下成長空間を提供し得る剛性植物成長エンクロージャを提供する。いくつかの実施形態では、剛性植物成長エンクロージャは、植物の成長に適した組成および／または圧密さの土壌を含み得る適切な内部成長空間を与えながら、エンクロージャの上および周囲にある人工的構造物に十分な構造的支持を提供するように構造的に構成することができる。
【００４１】
いくつかの実施形態では、本発明は、複数の植物のための共有された剛性エンクロージャ成長空間を提供し得る。いくつかの実施形態では、本発明は、複数の相互接続する植物成長エンクロージャおよび同様のセクションを備えるモジュール式植物成長システムを提供し得る。いくつかの実施形態では、本発明のモジュール式植物成長システムの各セクションは、長手方向の貫通通路を有しかつモュール式システムの１つまたは複数の他のセクションと相互接続するように構成された細長い本体を含み得る。いくつかの実施形態では、システムのそのようなセクションは、円形、楕円形、馬蹄形、八角形、長方形、または別の断面形状であり得る。いくつかの実施形態では、システムのセクションは、異なるサイズの樹木または他の植物および様々な配備場所に対応するために、様々な長さおよび／または断面積サイズで提供され得る。いくつかの実施形態では、これらのセクションのいくつかは、その長手方向軸に沿って湾曲していてもよい。いくつかの変形例では、これらのセクションのいくつかは、１つまたは複数の地点で、例えば、直角、鋭角、および／または鈍角で曲げられてもよい。いくつかの実施形態において、各セクションは、１つまたは複数の他のセクションと、例えば、エンドツーエンド、エンドツーサイド、および／またはサイドツーサイドで相互接続するように構成されてもよい。いくつかの実施形態では、これらの相互接続のそれぞれは、直角、１８０度、鋭角、および／または鈍角であってもよい。いくつかの実施形態では、本発明のモジュール式植物成長システムの複数の相互接続されたセクションは、様々なレイアウトに従って、表面下で、例えば掘られた溝またはトレンチ内に配備するように構成され得る。いくつかの実施形態では、そのようなレイアウトは、直線および／または湾曲経路、周辺レイアウト、円、長方形、Ｈパターンレイアウト等を含むことができる。
【００４２】
いくつかの実施形態では、本発明のモジュール式植物成長システムの各セクションは、植え付け、根の成長管理、通気、排水、および／またはメンテナンスのためのアクセスを容易にするように構成された複数の開口部および／または穿孔を備えてもよい。いくつかの実施形態において、セクションは、本発明のモジュール式植物成長システム内の異なる機能を果たすために、これらの開口部および／または穿孔の指定された組み合わせに基づく様々な構成で提供され得る。例えば、１つのそのような構成は、１つまたは複数の樹木または他の植物を受け入れて成長させることを意図したセクションを備えてもよい。別の構成は、植物受け入れセクションに相互接続し、例えば、内部成長空間を拡張し、および／またはシステムへのメンテナンスアクセスを提供する働きをするように構成された拡張セクションを備えてもよい。さらに別の例では、いくつかのセクションはこれらの機能の両方を単一のセクションで結合する場合がある。
【００４３】
いくつかの実施形態では、各セクションは、表面下に、掘り込まれたトレンチ内に配備され、上および周囲の人工的構造物、ならびに上の歩行者および車両の交通を支えることができる、囲まれた構造的に剛性の成長空間を提供するように構成され得る。いくつかの実施形態では、各セクションの一部または全部は、少なくとも１０トンの全体的な荷重を支えることができるように構築されてもよい。いくつかの実施形態では、各セクションは、ポリマー（例えば、ポリエチレン、ポリプロピレン、および／または任意の他のタイプのポリオレフィン）、金属（鋳鉄、黒鉄、鋼等）、コンクリートおよび／またはそれらの任意の組み合わせなど、任意の適切な材料で構築され得る。
【００４４】
いくつかの実施形態では、セクションの一部または全部は、耐久性、高い強度重量比、および費用対効果の利点を提供し得る波形または同様のリブまたは隆起構造を部分的または全体的に採用してもよい。他の変形例では、材料自体、例えばコンクリートが、各セクションに必要な構造強度と剛性を提供してもよい。
【００４５】
図２Ａおよび２Ｂは、それぞれ、一実施形態による都市の人工的構造物内に配備された例示的なシステム２００の斜視立面図および側面断面図を概略的に示す。この実施形態では、システム２００は、例えば、相互接続され得る１つまたは複数の植物成長セクション２１２を含む円筒状連続成長空間を含む。システム２００は、表面下に、例えば縁石２０２および隣接する道路２０４の下に掘られたトレンチ内に配置することができる。セクション２１２は、開口部２１４を通して植えられる樹木２２０の成長を支えるのに十分な土壌体積を提供するように構成することができる。いくつかの実施形態では、システム２００は、複数のセクションを含むより大きな連続植物成長システムの一部であってもよい。
【００４６】
いくつかの実施形態では、開口部２１６（図２Ｂに示す）などの複数の側面開口部は、樹木２２０の根に出口を提供するように構成することができる。開口部２１６は、根の成長を、例えば実質的に水平に制御および誘導し、例えば座屈による周囲の人工的構造物への潜在的な損傷を最小限にするように配置することができる。セクション２１２の底部の開口部２１８は、システム２００に排水を提供するように構成され得る。
【００４７】
図３Ａおよび３Ｂは、それぞれ、本発明の例示的な植物成長セクション３００の斜視図および長手方向断面図を示す。いくつかの実施形態では、セクション３００は、図２Ａおよび２Ｂのシステム２００など、より大きなモジュール式植物成長システムの一部として使用されてもよい。この実施形態のセクション３００は、例えば、１００ｃｍと８００ｃｍの間の長さおよび５０ｃｍと３００ｃｍの間の内径を有する、剛性の二重壁円筒状波形管として構成される。いくつかの実施形態では、例えば、楕円形、八角形、長方形、馬蹄形、または他の断面プロファイルを有する、様々な形状の他のタイプの管および／または同様の細長い中空本体を使用することができる。細長い本体の断面プロファイルが円形以外の場合、細長い本体の断面周囲は、前記断面周囲内の最大内接円が５０ｃｍ〜３００ｃｍの間の直径を有するように寸法決めされる。
【００４８】
図３Ａおよび３Ｂに示す実施形態では、セクション３００は、円筒状中空通路を画定する内壁と、連続した離間環状リブ３０４および谷３０６を有する波形外壁とを有する波形管構造を含む。いくつかの実施形態では、リブ３０４は、セクション３００の周囲に、例えば環状および／または螺旋状に形成され得る。いくつか実施形態では、リブ３０４のそれぞれは、セクション３００の内壁と外壁との間に内部に形成された環状の中空チャネル３０４ａを画定してもよい。いくつかの実施形態では、リブ３０４は、セクション３００の構造的剛性および強度を高めるように構成されてもよい。
【００４９】
図３Ａおよび３Ｂに示されるセクション３００の構造的形態は、例示的な実施形態に過ぎず、いくつかの変形例では、セクション３００は、波形および／または非波形の単層構造などの異なる構造設計、リブ、隆起、および／または同様の特徴部などの異なるおよび／または追加の強化構造要素、および／またはセクション３００の様々な部分を構築するために使用される異なる材料を含み得る。
【００５０】
引き続き図３Ａおよび３Ｂを参照すると、セクション３００は、開口部３０８など、セクション３００の長手方向の上半分の周りに位置する１つまたは複数の貫通開口部を含んでもよい。例えば、いくつかの実施形態では、開口部３０８は、セクション３００の長手方向および／または横方向の寸法に対して中心に位置づけられてもよい。他の実施形態では、開口部３０８はセクション３００の長手方向の寸法に沿って移動することができ、および／またはセクション３００の長手方向の中心線に対して片側にオフセットすることができる。
【００５１】
いくつかの実施形態では、開口部３０８は、円形、楕円形、長方形、または別の形状など、様々な周囲形状であってもよい。いくつかの変形例では、セクション３００は、例えばセクション３００の全長およびシステム２００内のその意図された機能に応じて、潜在的に様々な形状およびサイズの１つより多くの開口部３０８を備えてもよい。
【００５２】
いくつかの実施形態では、開口部３０８は、例えば、それを通る樹木の根球または別の大きな植物を受け入れるための寸法とすることができる。いくつかの実施形態では、各開口部３０８は、２０から１６０ｃｍの間の直径を有する。いくつかの実施形態では、各開口部３０８の総開口部面積は、例えば約３００から２００００ｃｍ２の間とすることができる。いくつかの実施形態では、セクション３００の十分な全体的剛性を維持するために、開口部３０８の長さ方向の寸法は、セクション３００の長手方向中央の３分の１以下に制限されてもよい。
【００５３】
いくつかの実施形態では、セクション３００は、少なくとも２つの根の貫通開口部３１０をさらに含み得る。いくつかの実施形態では、根の開口部３１０は、円形、楕円形、長方形、または別の形状などの様々な周囲形状であり得る。円形バージョンでは、根の開口部３１０はそれぞれ５から３０ｃｍの間の直径を有し得る。他の変形例では、根の開口部３１０はそれぞれ、約２０〜７００ｃｍ２の総開口部面積を有し得る。セクション３００の概略断面正面図を示す図３Ｃを参照すると、根の開口部３１０は、それぞれ大体１１：００と１：００の間、および５：００と７：００の間でセクション３００の周囲と交差する水平面１、２によって画定される長手方向側部領域Ａ１および／またはＡ２の周りに配置することができる。
【００５４】
いくつかの実施形態では、根の開口部３１０は、周囲の人工的構造物と干渉しない所望の成長経路に向かって根を向けるように、セクション３００内で成長する樹木または植物の根のための出口を提供するように構成され得る。例えば、図２Ａおよび２Ｂに示す実施形態では、根の開口部３１０（図２Ａおよび２Ｂ中、符号２１６として参照される）は、樹木２２０の根を片側のみに、すなわち、道路２０４から縁石２０２の下の領域に向けるように配置することができる。他の実施形態では、根の開口部３１０は、根を片側または両側に、水平面に対して様々な角度で向けるように構成されてもよい。
【００５５】
いくつかの変形例では、セクション３００は、例えばセクション３００の全長およびシステム２００内のその意図される機能に応じて、潜在的に様々な形状およびサイズの３つ以上の根の開口部３１０を含み得る。例えば、セクション３００は、領域Ａ１および／またはＡ２内の様々なレイアウトで、例えば、領域Ａ１、Ａ２内の異なる高さで、および／または図３Ａおよび３Ｂに示されるように長手方向の列に沿って対で配置された３〜１０個の根の開口部３１０を含み得る。いくつかの実施形態では、根の開口部３１０は、中心間で４０ｃｍから１２０ｃｍの間で間隔を空けられてもよい。他の変形例では、セクション３００は、開口の上部列に位置する根の開口部３１０が下部列に位置する根の開口部３１０の開口部面積よりも小さい開口部面積を有し得るように構成されてもよい。
【００５６】
いくつかの実施形態では、様々な種類および成長パターンの樹木または植物に対応するために、異なる数の根の開口部３１０が、領域Ａ１および／またはＡ２の周りに様々な所望のパターンで配置されてもよい。いくつかの実施形態では、根の開口部３１０は、例えば、周囲の人工的構造物に対するその意図された配備位置および向きに応じて、セクション３００の片側または両側の領域に配置されてもよい。
【００５７】
引き続き図３Ａ〜３Ｃを参照すると、いくつかの実施形態では、少なくとも１つの排水貫通開口部３１２。排水開口部３１２は、それぞれ大体１１時３０分と６時３０分の間、および１２時３０分と５時３０分の間でセクション３００の周囲と交差する２つの垂直平面３、４によって画定されるセクション３００の長手方向底部領域Ａ３（図３Ｃに示す）の周りに配置することができる。
【００５８】
いくつかの実施形態では、排水開口部３１２は円形であってもよく、５〜２５ｃｍの間の半径を有し得る。他の実施形態では、開口部３１２は、８０ｃｍ２から５００ｃｍ２の間の開口部面積を有し得る。いくつかの実施形態では、開口部３１２は、セクション３００からの水の流出を許容するように構成され得る。
【００５９】
いくつかの実施形態では、排水開口部３１２は、円形、楕円形、長方形、または別の形状など、様々な周囲形状であってもよい。いくつかの変形例では、セクション３００は、例えばセクション３００の全長およびシステム２００内のその意図された機能に応じて、潜在的に様々な形状およびサイズの１つより多くの排水開口部３１２を含んでもよい。
【００６０】
引き続き図３Ａ〜３Ｃを参照すると、いくつかの実施形態では、少なくとも１つの通気開口部３１４が、垂直平面３、４によって画定されるセクション３００の長手方向上部領域Ａ４（図３Ｃに示す）の周りに配置され得る。
【００６１】
図３Ａおよび３Ｂに示す変形例では、セクション３００は、例えば、通気開口部３１４、通気シャフト３１６、および中空チャネル３０４ａを含む通気システムを介して、セクション３００の内部の通気を提供するように構成され得る。いくつかの実施形態では、通気開口部３１４はそれぞれ、１〜１２ｃｍ２の間の開口部面積を有し得、例えば図３Ｂに示される通気シャフト３１６を受け入れて、大気をセクション３００の内部に導入するように構成される。
【００６２】
例えば、通気開口部３１４は、大気がその対応する中空チャネル３０４ａに導入され得るように、リブ３０４の外壁のみを貫通するように、環状リブ３０４の頂部の周りに配置され得る。いくつかの実施形態では、セクション３００の配備の表面下の深さに応じて、周囲大気と通気開口部３１４との間の空気連通を提供するために、通気シャフト３１６は少なくとも表面レベルまで延びるように構成され得る。いくつかの実施形態では、図３Ａ〜３Ｂで見ることができるように、大気は、セクション３００の上部セグメントが除去されて開口部３０８が形成された、リブ３０４の開放端部に導入することもできる。
【００６３】
いくつかの実施形態では、通気システムは、セクション３００の内壁の周りに位置する複数の穿孔をさらに備えてもよい。いくつかの実施形態では、これらの穿孔は、１つまたは複数のリブ３０４と一致し得る部分的に円周方向の列３１８に配置されてもよい。したがって、各穿孔列３１６は、リブの対応する中空チャネル３０４ａとセクション３００の内部空間との間に空気流の連通を提供することができ、それにより、通気システムが完成する。
【００６４】
いくつかの実施形態では、各穿孔は、１〜５ｃｍ２の間の面積を有し得る。いくつかの実施形態では、穿孔列３１８は、中心間で１〜４ｃｍの間の円周方向寸法で間隔を空けた複数の穿孔を含み得る。いくつかの実施形態では、図３Ｃを参照すると、穿孔列３１８は、外側領域Ａ１、Ａ２にそれぞれ対応する内側領域Ａ５、Ａ６のどちらかかまたは両方の内部に配置することができる。
【００６５】
いくつかの実施形態では、セクション３００は、開口部３０８の半径と開口部３１０の半径との間の比が１．５：１〜４：１の間であり得るように構成され得る。いくつかの実施形態では、セクション３００は、その中の全ての開口部および穿孔の総面積がセクション３００の内壁の総表面積の６％〜２５％の間に等しくなるように構成されてもよい。
【００６６】
図３Ｄを参照すると、いくつかの実施形態では、セクション３００は、例えば開口部３０８から表面レベルまで延びるように構成された植え付け用延長部３２０を備えてもよい。植え付け用延長部３２０は、例えばメンテナンス、栄養補給、および／または水やりのために、システム２００への表面レベルのアクセスを提供するように構成されてもよい。さらに、植え付け用延長部３２０は、例えば、回転および／または軸方向の変位に対して、その配備位置内にセクション３００を固定するように構成されてもよい。いくつかの実施形態では、植え付け用延長部３２０は、セクション３００の最上点から５〜６０ｃｍ延びるように構成されてもよい。いくつかの実施形態では、植え付け用延長部３２０はセクション３００にしっかりと接続されてもよいが、他の変形例では植え付け用延長部３２０は取り外し可能な植え付け用延長部であってもよい。
【００６７】
本発明の植物成長セクション４００の別の構成の例示的な実施形態が、図４Ａおよび４Ｂにそれぞれ斜視図および長手方向断面図で示されている。この変形例では、セクション４００は、例えば、図３Ａおよび３Ｂに示されるセクション３００への延長セクションとして機能するように構成されてもよい。いくつかの実施形態では、セクション４００は、セクション３００と同様の構造であり得、同様の材料で作製され得る。
【００６８】
いくつかの実施形態では、セクション４００は、関連する修正を加えて、セクション３００と同様の様々な開口部および穿孔のレイアウトを備えてもよい。例えば、いくつかの実施形態では、セクション４００は、図３Ａ〜３Ｂの開口部３０８と同様に、セクション４００の長手方向の上半分の周りに配置されたメンテナンス貫通開口部４０８を備えてもよい。開口部４０８は、開口部３０８と同様の、またはそれよりも小さい開口部面積を有し得、システム２００の複数部分への水やりおよび／またはメンテナンスのためのアクセスを提供し得る。いくつかの実施形態では、開口部４０８は、円形、楕円形、長方形、または別の形状など、様々な形状であり得る。
【００６９】
さらに、いくつかの実施形態では、セクション４００は、以下のうちの１つまたは複数をさらに含むことができる。
・セクション３００の根の開口部３１０と同様の寸法および同様の配置の根の開口部４１０、
・セクション３００の排水開口部３１２と同様の寸法および同様の配置の排水開口部４１２、
・セクション３００の通気開口部３１６と同様の寸法および同様の配置の通気開口部４１４、および／または
・セクション３００の穿孔列３１８と同様の寸法および同様の配置の穿孔列４１６。
【００７０】
いくつかの実施形態では、セクション４００は、その中の全ての開口部および穿孔の総面積がセクション４００の内壁の総表面積の８％〜２０％に等しくなり得るように構成されてもよい。
【００７１】
図５は、一実施形態による植物成長管理のためのシステムの２つの相互接続されたセクション、例えばセクション３００および４００の概略図である。いくつかの実施形態では、セクション３００は、例えば、セクション４００をセクション３００の端部に挿入できるように、より小さい直径の延長セクション４００にエンドツーエンドで結合することができる。他の実施形態では、外側結合スリーブを介したもの、および／または他の方法を含む、２つ以上のセクションの他の結合手段が考慮されてもよい。上述のように、いくつかの実施形態では、セクション３００および４００は、直角、１８０度、鋭角、および／または鈍角で、例えば、エンドツーエンド、エンドツーサイド、および／またはサイドツーサイドで互いにおよび／または追加セクションと相互接続するように構成され得る。
【００７２】
図６Ａおよび６Ｂは、それぞれ、本発明の例示的な植物成長セクション６００の斜視図および正面断面図を示す。いくつかの実施形態では、セクション６００は、例えばセクション６００内に植えられた植物または樹木を揺らす可能性のある強風によるセクション６００の回転および／または軸方向の変位を防ぐために、１つまたは複数の固定および／または安定化手段を使用してもよい。例えば、セクション６００は、例えばケーブル６２４を介してアイフック６２２に接続されるステーク６２０によって、地中および／または周囲の人工的構造物に固定するように構成されてもよい。他の実施形態では、セクション６００は、セクション６００の回転および／または軸方向の変位に抵抗するように周囲の地中に引っ掛かりを得るように構成された１つまたは複数の安定化フィン６１４を含み得る。さらに他の実施形態において、セクション６００は、対応する根の開口部６１０に、例えば、ねじおよび／または摩擦接続を介してしっかりと接続するように構成された１つまたは複数の延長導管６１２を含み得る。いくつかの実施形態では、延長導管６１２は、セクション６００の回転および／または軸方向の変位に抵抗するように周囲の地中に延びることができる。
【００７３】
図７は、セクション７００の長さに沿って内部に配置された任意選択の灌漑導管７２０をさらに含む本発明の植物成長セクション７００の例示的な実施形態を示す。灌漑導管７２０は、滴下式灌漑要素７２２などの灌漑要素用の導管を提供するように構成されてもよい。灌漑導管７２０は、有利には、灌漑要素の詰まりを防ぐために、その長さに沿って配置されたジオテキスタイルファブリックの層を含むことができる。いくつかの実施形態では、灌漑導管７２０は、上からセクション７００内の土壌を灌漑するために、植物成長セクション７００の上部内部領域に配置するように構成される。
【００７４】
上の記載および実施例は全て、例示の目的で与えられたものであり、決して本発明を限定することを意図するものではないことが理解されよう。本明細書で使用される際、「例えば（ｆｏｒ  ｅｘａｍｐｌｅ）」、「例えば（ｅ．ｇ．，）」、「任意選択的に」という用語は、非限定的な例を紹介するために使用されることを意図している。特定の例の構成要素に対して特定の参照がなされるが、他の構成要素も同様に使用でき、および／または例の構成要素はより少ない構成要素に組み合わせることができる、および／またはさらなる構成要素に分割することができる。本出願の記載および特許請求の範囲において、「含む、備える（ｃｏｍｐｒｉｓｅ）」、「含む（ｉｎｃｌｕｄｅ）」および「有する（ｈａｖｅ）」という単語のそれぞれ、およびそれらの形態は、その単語が関連付けられ得るリスト内のメンバーに必ずしも限定されない。さらに、本出願と参照により組み込まれた文書との間に矛盾がある場合、本出願が支配することがここに書くことによって意図される。
【図１】
2020532320.tif 000003
【図２Ａ】
2020532320.tif 000004
【図２Ｂ】
2020532320.tif 000005
【図３Ａ】
2020532320.tif 000006
【図３Ｂ】
2020532320.tif 000007
【図３Ｃ】
2020532320.tif 000008
【図３Ｄ】
2020532320.tif 000009
【図４Ａ】
2020532320.tif 000010
【図４Ｂ】
2020532320.tif 000011
【図５】
2020532320.tif 000012
【図６Ａ】
2020532320.tif 000013
【図６Ｂ】
2020532320.tif 000014
【図７】
2020532320.tif 000015
【国際調査報告】
2020532320.tif 000016
2020532320.tif 000017
2020532320.tif 000018